(57)【要約】【課題】本発明は、放電ランプの寿命末期を確実に検出することができる放電灯点灯装置および照明装置を提供することを目的とする。【課題を解決するための手段】請求項１記載の放電灯点灯装置は、放電ランプに交流を供給してこの放電ランプを交流点灯させる放電灯点灯手段２２と；放電灯点灯手段および放電ランプ間に接続され直流をカットする直流カット手段Ｃ１３と；放電ランプの直流電圧のみを検出する直流電圧検出手段２５と；外部からの調光信号に応じて前記放電灯点灯手段の出力を制御するとともに、前記直流電圧検出手段で検出された直流電圧の電圧値が所定値以上になると前記放電灯点灯手段の出力を少なくとも低下させる制御をする制御手段２７と；を具備したことを特徴とする。【選択図】図１
2006114512.tif 000002
【特許請求の範囲】
【請求項１】
放電ランプに交流を供給してこの放電ランプを交流点灯させる放電灯点灯手段と；
放電灯点灯手段および放電ランプ間に接続され直流をカットする直流カット手段と；
放電ランプの直流電圧のみを検出する直流電圧検出手段と；
外部からの調光信号に応じて前記放電灯点灯手段の出力を制御するとともに、前記直流電圧検出手段で検出された直流電圧の電圧値が所定値以上になると前記放電灯点灯手段の出力を少なくとも低下させる制御をする制御手段と；
を具備したことを特徴とする放電灯点灯装置。
【請求項２】
直流電圧検出手段は、放電ランプに対して並列に接続された複数の抵抗が直列に接続され、これら抵抗のうち少なくとも一つは両端電圧が放電ランプの直流電圧に対応した電圧となる抵抗分圧回路と、この抵抗分圧回路の放電ランプの直流電圧に対応した直流電圧となる抵抗に対して並列に接続された交流バイパス用のバイパスコンデンサとを有することを特徴とする請求項１記載の放電灯点灯装置。
【請求項３】
抵抗分圧回路は、抵抗で放電ランプのランプ電圧を検出し、制御回路は、ランプ電圧に基づき放電灯点灯手段の出力を制御することを特徴とする請求項２記載の放電灯点灯装置。
【請求項４】
直流電圧検出手段は、放電ランプに対して直列に接続されたコンデンサと、放電ランプに並列に接続された抵抗の抵抗分圧回路と、交流バイパス用のバイパスコンデンサとを有することを特徴とする請求項１記載の放電灯点灯装置。
【請求項５】
制御手段は、放電ランプのアークが少なくとも消滅するまで出力を低減することを特徴とする請求項１ないし４のいずれか一に記載の放電灯点灯装置。
【請求項６】
放電ランプは、管径が１８ｍｍ以下であることを特徴とする請求項１ないし５のいずれか一に記載の放電灯点灯装置。
【請求項７】
請求項１ないし６のいずれか一に記載の放電灯点灯装置と；
この放電灯点灯装置が設けられた器具本体と；
を具備したことを特徴とする照明装置。
【発明の詳細な説明】
【技術分野】
【０００１】
本発明は、放電ランプの寿命末期を検出可能な放電灯点灯装置および照明装置に関する。
【背景技術】
【０００２】
従来、この種の放電灯点灯装置としては、たとえば図１３に示す構成が知られている。
【０００３】
図１３は従来例の放電灯点灯装置を示す回路図で、この図１３に示す放電灯点灯装置は、商用交流電源ｅにダイオードブリッジなどの全波整流回路１の入力端子が接続され、この全波整流回路１の出力端子には平滑コンデンサC1が接続され、この平滑コンデンサC1にはハーフブリッジ型のインバータ回路２が接続されている。
【０００４】
また、このインバータ回路２は、電界効果トランジスタQ1および電界効果トランジスタQ2が直列に接続され、これら電界効果トランジスタQ1および電界効果トランジスタQ2のゲートには、抵抗R1および抵抗R2を介してドライブ回路３が接続されている。
【０００５】
さらに、電界効果トランジスタQ2の両端子間には、直流カット用のコンデンサC2およびバラストチョークL1を介して放電ランプとしての蛍光ランプFLのフィラメントFL1 ，FL2 の一端が接続され、他端間には始動用のコンデンサC3が接続されている。
【０００６】
また、蛍光ランプFLのフィラメントFL1 ，FL2 の一端間には、抵抗R3および抵抗R4の直列回路が接続されており、抵抗R4に対して並列にコンデンサC4およびダイオードD1の直列回路が接続され、ダイオードD1に対して並列にダイオードD2およびコンデンサC5の直列回路が接続されている。さらに、ダイオードD2およびコンデンサC5の接続点は、比較回路４に接続され、この比較回路４はドライブ回路３に接続されている。
【０００７】
そして、商用交流電源ｅの交流電圧を全波整流回路１で全波整流し、この全波整流された電圧を平滑コンデンサC1で平滑し、ドライブ回路３で電界効果トランジスタQ1および電界効果トランジスタQ2をスイッチングして高周波交流を発生させ、蛍光ランプFLを高周波点灯させる。
【０００８】
また、寿命末期は、蛍光ランプFLのランプ電圧の正側のピークと負側のピーク間の電圧、いわゆるピーク・ピーク電圧を検出し、このピーク・ピーク電圧を抵抗R3および抵抗R4で分圧し、ダイオードD1およびダイオードD2で整流して、コンデンサC5を充電する。そして、このコンデンサC5の電圧を比較回路４で検知して、このコンデンサC5の電圧が所定値以上に上昇すると、ドライブ回路３で電界効果トランジスタQ1および電界効果トランジスタQ2のスイッチングを制御して、蛍光ランプFLの出力を低下させている。
【発明の開示】
【発明が解決しようとする課題】
【０００９】
しかしながら、蛍光ランプFLの温度が高い場合あるいは周囲の温度が高い場合には、蛍光ランプFLのピーク・ピーク電圧はほとんど変化しないうえに、直流成分を検出できないため、蛍光ランプFLの電圧変化を検出できず、寿命末期を検出できなくなるおそれがある問題を有している。
【００１０】
本発明は、上記問題点に鑑みなされたもので、放電ランプの寿命末期を確実に検出することができる放電灯点灯装置および照明装置を提供することを目的とする。
【課題を解決するための手段】
【００１１】
請求項１記載の放電灯点灯装置は、放電ランプに交流を供給してこの放電ランプを交流点灯させる放電灯点灯手段と；放電灯点灯手段および放電ランプ間に接続され直流をカットする直流カット手段と；放電ランプの直流電圧のみを検出する直流電圧検出手段と；外部からの調光信号に応じて前記放電灯点灯手段の出力を制御するとともに、前記直流電圧検出手段で検出された直流電圧の電圧値が所定値以上になると前記放電灯点灯手段の出力を少なくとも低下させる制御をする制御手段と；を具備したことを特徴とする。本発明では、直流電圧検出手段で放電ランプの直流電圧のみを検出するので、放電ランプの半波放電を確実に検出でき、放電ランプが調光時でも、寿命末期で高温状態でも、直流電圧の電圧値を検出することにより寿命末期を検出し、制御手段で放電灯点灯手段の出力を少なくとも低下させる。
【００１２】
請求項２記載の放電灯点灯装置は、請求項１記載の放電灯点灯装置において、直流電圧検出手段は、放電ランプに対して並列に接続された複数の抵抗が直列に接続され、これら抵抗のうち少なくとも一つは両端電圧が放電ランプの直流電圧に対応した電圧となる抵抗分圧回路と；この抵抗分圧回路の放電ランプの直流電圧に対応した直流電圧となる抵抗に対して並列に接続された交流バイパス用のバイパスコンデンサとを有することを特徴とする。本発明では、放電ランプに対して並列に接続された抵抗分圧回路の並列にコンデンサを有する抵抗で放電ランプの直流電圧を検出するので、コンデンサにより交流電圧を除去した状態で、確実に放電ランプの直流電圧成分を検出する。
【００１３】
請求項３記載の放電灯点灯装置は、請求項２記載の放電灯点灯装置において、抵抗分圧回路は、抵抗で放電ランプのランプ電圧を検出し、制御回路は、ランプ電圧に基づき放電灯点灯手段の出力を制御することを特徴とする。本発明では、抵抗分圧回路でランプ電圧も検出可能で、制御手段はこのランプ電圧に基づき放電灯点灯手段の出力を制御する。
【００１４】
請求項４記載の放電灯点灯装置は、請求項１記載の放電灯点灯装置において、直流電圧検出手段は、放電ランプに対して直列に接続されたコンデンサと、放電ランプに並列に接続された抵抗の抵抗分圧回路と、交流バイパス用のバイパスコンデンサとを有することを特徴とする。本発明では、放電ランプに流れる交流電圧はキャンセルされ、直流電圧が交流バイパス用のバイパスコンデンサに充電されるので、確実に放電ランプの直流電圧成分を検出する。
【００１５】
請求項５記載の放電灯点灯装置は、請求項１ないし４のいずれか一に記載の放電灯点灯装置において、制御手段は、放電ランプのアークが少なくとも消滅するまで出力を低減することを特徴とする。本発明では、制御手段は、放電ランプのアークが少なくとも消滅するまで出力を低減するものであり、放電ランプのアークは消滅するので放電ランプなどへのストレスなどを低下する。
【００１６】
請求項６記載の放電灯点灯装置は、請求項１ないし５のいずれか一に記載の放電灯点灯装置において、放電ランプは、管径が１８ｍｍ以下であることを特徴とする。本発明では、放電ランプは、管径が１８ｍｍ以下であるもので、寿命末期を検出しにくく、寿命末期時に影響を与えやすい管径が１８ｍｍ以下にも対応する。
【００１７】
請求項７記載の照明装置は、請求項１ないし６のいずれか一に記載の放電灯点灯装置と；この放電灯点灯装置が設けられた器具本体と；を具備したことを特徴とする。本発明では、請求項１ないし６のいずれか一に記載の放電灯点灯装置の作用を有する。
【発明の効果】
【００１８】
請求項１記載の放電灯点灯装置によれば、直流電圧検出手段で放電ランプの直流電圧のみを検出するので、放電ランプの半波放電を確実に検出でき、放電ランプが調光時においても寿命末期で高温状態で直流が重畳されている状態でも、直流電圧の電圧値を検出することにより寿命末期を検出し、制御手段で放電灯点灯手段の出力を少なくとも低下し、確実に寿命末期に対応できる。
【００１９】
請求項２記載の放電灯点灯装置によれば、請求項１記載の放電灯点灯装置に加え、放電ランプに対して並列に接続された抵抗分圧回路の並列にバイパスコンデンサを有する抵抗で放電ランプの直流電圧を検出するので、バイパスコンデンサにより交流電圧を除去した状態で、確実に放電ランプの直流電圧成分を検出できる。
【００２０】
請求項３記載の放電灯点灯装置によれば、請求項２記載の放電灯点灯装置に加え、抵抗分圧回路でランプ電圧も検出可能で、制御手段はこのランプ電圧に基づき放電灯点灯手段の出力を制御できる。
【００２１】
請求項４記載の放電灯点灯装置によれば、請求項１記載の放電灯点灯装置に加え、放電ランプに流れる交流電圧はキャンセルされ、直流電圧が交流バイパス用のバイパスコンデンサに充電されるので、確実に放電ランプの直流電圧成分を検出できる。
【００２２】
請求項５記載の放電灯点灯装置によれば、請求項１ないし４のいずれか一に記載の放電灯点灯装置に加え、制御手段は放電ランプのアークが少なくとも消滅するまで出力を低減するので、放電ランプのアークは消滅するので放電ランプなどへのストレスなどを低下できる。
【００２３】
請求項６記載の放電灯点灯装置によれば、請求項１ないし５のいずれか一に記載の放電灯点灯装置に加え、放電ランプは管径が１８ｍｍ以下であるので、寿命末期を検出しにくく、寿命末期時に影響を与えやすい管径が１８ｍｍ以下にも対応できる。
【００２４】
請求項７記載の照明装置によれば、請求項１ないし６のいずれか一に記載の放電灯点灯装置が設けられた器具本体とを具備したので、それぞれの効果を奏することができる。
【発明を実施するための最良の形態】
【００２５】
以下、本発明の照明装置の一実施の形態を図面を参照して説明する。
【００２６】
図１は放電灯点灯装置を示す回路図で、図２は照明装置の外観を示す斜視図である。
【００２７】
図２に示すように、器具本体11の下面には反射面12が形成され、この反射面12の両端には、ランプソケット13，13が設けられ、これらランプソケット13，13間には管径が１８ｍｍ以下の高管壁負荷の低圧放電ランプとしての蛍光ランプFLが取り付けられ、図１に示す放電灯点灯装置14が内蔵されている。
【００２８】
この図１に示す放電灯点灯装置14は、商用交流電源ｅにダイオードブリッジなどの全波整流回路21の入力端子を接続し、この全波整流回路21の出力端子間には平滑コンデンサC11 が接続され、この平滑コンデンサC11 には放電灯点灯手段としてのハーフブリッジ型のインバータ回路22が接続されている。
【００２９】
また、このインバータ回路22は、平滑コンデンサC11 に電界効果トランジスタQ11 および電界効果トランジスタQ12 が直列に接続され、電界効果トランジスタQ11 のゲートには抵抗R11 を介して、電界効果トランジスタQ12 のゲートには抵抗R12 を介して、ドライブ回路23が接続されている。
【００３０】
さらに、電界効果トランジスタQ12 の両端には、直流カット手段となる直流カット用のコンデンサC12 、バラストチョークの機能を有するトランスTr1 の一次巻線Tr1aおよび直流カット手段としての直流カット用のコンデンサC13 を介して蛍光ランプFLのフィラメントFL1 ，FL2 の一端間に接続され、これらフィラメントFL1 ，FL2 は、それぞれトランスTr1 のフィラメント予熱巻線Tr1b，Tr1cに接続されている。また、コンデンサC13 を介した蛍光ランプFLのフィラメントFL1，FL2 間には、コンデンサC14 が接続されている。
【００３１】
そして、蛍光ランプFLのフィラメントFL1 ，FL2 間には、抵抗R13 および抵抗R14 の直列回路の抵抗分圧回路24が接続され、抵抗R14 には並列にバイパスコンデンサC15 が接続され、これらにて直流電圧検出手段としての直流電圧検出回路25が形成され、この直流電圧検出回路25にはこの直流電圧検出回路25のバイパスコンデンサC15 に充電された電圧が所定値以上であるか否かを検出する比較回路26が接続され、この比較回路26は制御手段としての制御回路27に接続され、この制御回路27はドライブ回路23に接続されている。
【００３２】
次に、上記実施の形態の動作について説明する。
【００３３】
まず、商用交流電源ｅの交流電圧を全波整流回路21で全波整流し、平滑コンデンサC11 で平滑して、ドライブ回路23により電界効果トランジスタQ11 および電界効果トランジスタQ12 をスイッチングさせ、高周波交流を誘起させて蛍光ランプFLを高周波点灯させる。また、この際に、フィラメント予熱巻線Tr1b，Tr1cに電圧を誘起して、フィラメントFL1 ，FL2 を予熱する。
【００３４】
そして、蛍光ランプFLが通常時には、蛍光ランプFLには正負ほぼ対称の高周波交流電圧が印加されているので、バイパスコンデンサC15 により高周波交流がバイパスされて、バイパスコンデンサC15 は充電されず、比較回路26は制御回路27にドライブ回路23を通常通り動作させる。
【００３５】
一方、蛍光ランプFLが寿命末期になり、たとえばいずれかのフィラメントFL1，FL2 がエミッタレス状態になると、蛍光ランプFLには整流作用が生じ、抵抗R13 および抵抗R14 で分圧されてバイパスコンデンサC15 が充電され、比較回路26でこのバイパスコンデンサC15 が所定電圧以上になったことを検出して、制御回路27はドライブ回路23でインバータ回路22を蛍光ランプFLのアークが消滅する電圧以下に出力を低下させたり、あるいは、インバータ回路22の出力を停止させる。
【００３６】
このように、バイパスコンデンサC15 で蛍光ランプFLの直流電圧のみを検出するので、周囲温度の上昇などにより蛍光ランプFLの電圧が大きく変化せず直流が重畳されている場合にも、確実に蛍光ランプFLの寿命末期を検出できる。
【００３７】
次に、他の実施の形態を図３を参照して説明する。
【００３８】
図３は他の実施の形態の放電灯点灯装置を示す回路図で、この図３に示す放電灯点灯装置31は、図１に示す放電灯点灯装置14において、トランスTr1 に代えてバラストチョークL11 を設け、電界効果トランジスタQ12 に対して並列に、トランスTr2 の一次巻線Tr2aおよびバイパスコンデンサC16 の直列回路を接続し、このトランスTr2 にフィラメント予熱巻線Tr2bおよびフィラメント予熱巻線Tr2cを設けたものである。
【００３９】
また、ドライブ回路23は、制御回路27にトランスTr3 の一次巻線Tr3aおよびコンデンサC17 の直列回路が接続され、抵抗R11 にトランスTr3 の二次巻線Tr3bが接続され、抵抗R12 にトランスTr3 の二次巻線Tr3cが接続されている。
【００４０】
そして、基本的には図１に示す放電灯点灯装置14と同様に動作する。
【００４１】
また、他の実施の形態を図４を参照して説明する。
【００４２】
図４はまた他の実施の形態の放電灯点灯装置を示す回路図で、この図４に示す放電灯点灯装置32は、図３に示す実施の形態の放電灯点灯装置31において、高圧側に位置するコンデンサC13 を安定電位側に接続したものである。
【００４３】
そして、基本的には図３に示す放電灯点灯装置31と同様に動作する。
【００４４】
さらに、他の実施の形態を図５を参照して説明する。
【００４５】
図５はさらに他の実施の形態の放電灯点灯装置を示す回路図で、この放電灯点灯装置33は、図１に示す放電灯点灯装置14の直流電圧検出回路25に代えて、直流電圧検出手段としての直流電圧検出回路34を設けたもので、コンデンサC13 を安定電位側に位置させ、このコンデンサC13 に対して並列に抵抗R15 および抵抗R16 の直列回路の抵抗分圧回路35を接続し、抵抗R15 および抵抗R16 の接続点に、比較回路26を接続したものである。
【００４６】
このように、蛍光ランプFLに対して直列に接続されたコンデンサC13 に並列に抵抗分圧回路35を設けて、この抵抗分圧回路35により蛍光ランプFLの直流電圧を検出しても同様に動作する。
【００４７】
またさらに、他の実施の形態を図６を参照して説明する。
【００４８】
図６はまたさらに他の実施の形態の放電灯点灯装置を示す回路図で、この放電灯点灯装置36は、図５に示す放電灯点灯装置33において、トランスTr1 に代えてバラストチョークL11 を設け、電界効果トランジスタQ12 に対して並列に、トランスTr2 の一次巻線Tr2aおよびバイパスコンデンサC16 の直列回路を接続し、このトランスTr2 にフィラメント予熱巻線Tr2bおよびフィラメント予熱巻線Tr2cを設けたものである。
【００４９】
また、ドライブ回路23は、制御回路27にトランスTr3 の一次巻線Tr3aおよびコンデンサC17 の直列回路が接続され、抵抗R11 にトランスTr3 の二次巻線Tr3bが接続され、抵抗R12 にトランスTr3 の二次巻線Tr3cが接続されている。
【００５０】
そして、基本的には図５に示す放電灯点灯装置33と同様に動作する。
【００５１】
そしてまた、他の実施の形態を図７を参照して説明する。
【００５２】
図７はそしてまた他の実施の形態の放電灯点灯装置を示す回路図で、この図７に示す放電灯点灯装置41は、商用交流電源ｅに全波整流回路21の入力端子が接続され、この全波整流回路21の出力端子には平滑コンデンサC11 が接続されている。
【００５３】
そして、この平滑コンデンサC11 には放電灯点灯手段としての一石式のインバータ回路42が接続され、このインバータ回路42は、コンデンサC21 およびインダクタL15 の並列共振回路43と、スイッチング素子であるトランジスタQ15 のコレクタ、エミッタが直列に接続され、インダクタL15 にはバラストチョークL16 、電流トランスCT1 の一次巻線CT1aおよび直流カット手段としての直流カット用のコンデンサC22 を介して、蛍光ランプFLのフィラメントFL1 ，FL2 の一端が接続され、これらフィラメントFL1 ，FL2 の他端間には、始動用のコンデンサC23 が接続されている。
【００５４】
また、電流トランスCT1 の二次巻線CT1bはコンデンサC24 を介してトランジスタQ15 のベース、エミッタ間に接続され、このトランジスタQ15 のベース、エミッタ間にはダイオードD11 および抵抗R21 の直列回路が接続されている。
【００５５】
さらに、蛍光ランプFLのフィラメントFL2 の一端と全波整流回路21の負極との間には、抵抗R22 および抵抗R23 の直列回路で形成された抵抗分圧回路44が形成され、抵抗R23 はバイパスコンデンサC25 が並列に接続されて、直流電圧検出手段としての直流電圧検出回路45が形成され、この抵抗R23 およびバイパスコンデンサC25 の接続点には比較回路46が接続され、この比較回路46はトランジスタQ16 のベースに接続され、このトランジスタQ16 のコレクタはダイオードD12 を介してトランジスタQ15 のベースに接続され、エミッタは全波整流回路21の負極に接続されて、制御手段としての制御回路47を形成している。
【００５６】
次に、上記実施の形態の動作について説明する。
【００５７】
まず、商用交流電源ｅの交流電圧を全波整流回路21で全波整流し、平滑コンデンサC11 で平滑して、並列共振回路43のコンデンサC21 およびインダクタL15 の共振および電流トランスCT1 の帰還により、トランジスタQ15 をスイッチング動作させて、インダクタL15 に高周波交流を誘起して蛍光ランプFLを高周波点灯させる。
【００５８】
そして、蛍光ランプFLが通常時には、蛍光ランプFLには正負ほぼ対称の高周波交流電圧が印加されているので、抵抗R23 の電流はバイパスコンデンサC25 により高周波交流がバイパスされて、バイパスコンデンサC25 は充電されず、比較回路46はＬレベル出力を維持してトランジスタQ16 のオフ状態を維持し、トランジスタQ15 を通常通り動作させる。
【００５９】
一方、蛍光ランプFLが寿命末期になり、たとえばいずれかのフィラメントFL1，FL2 がエミッタレス状態になると、蛍光ランプFLには直流電流が生じ、抵抗R22 および抵抗R23 で分圧されてバイパスコンデンサC25 が充電され、比較回路46でこのバイパスコンデンサC25 が所定電圧以上になったことを検出して、比較回路46はＨレベル出力してトランジスタQ16 をオンし、トランジスタQ15 のベース電流を引き抜いて、インバータ回路42を蛍光ランプFLのアークが消滅する電圧以下に出力を低下させたり、あるいは、インバータ回路42の出力を停止させる。
【００６０】
また、他の実施の形態を図８を参照して説明する。
【００６１】
図８はまた他の実施の形態の放電灯点灯装置を示す回路図で、図８に示す放電灯点灯装置51は、図７に示す放電灯点灯装置41の直流電圧検出回路45、比較回路46および制御回路47に代えて、コンデンサC23 に対して並列に抵抗R25 および抵抗R26 の直列回路の抵抗分圧回路52を接続し、この抵抗R25 に対して並列にバイパスコンデンサC26 を接続して直流電圧検出手段としての直流電圧検出回路53を構成し、バイパスコンデンサC26 に比較回路54を接続し、この比較回路54に発光ダイオードLED1を接続している。
【００６２】
また、制御手段としての制御回路55は、平滑コンデンサC11 に対して並列に抵抗R27 およびサイリスタQ18 の直列回路が接続され、このサイリスタQ18 のゲート、カソード間には抵抗R28 およびコンデンサC27 の並列回路が接続されるとともに、発光ダイオードLED1にフォトカップリングされたフォトトランジスタQ19およびコンデンサC28 の直列回路が接続され、サイリスタQ18 のアノード、ゲート間には、抵抗R29 が接続され、サイリスタQ18 のアノードおよびトランジスタQ15 のベース間には、ダイオードD15 が接続されている。
【００６３】
次に、上記実施の形態の動作について説明する。
【００６４】
そして、基本的な動作は図７に示す放電灯点灯装置41と同様であるが、蛍光ランプFLの通常時には、蛍光ランプFLには正負ほぼ対称の高周波交流電圧が印加されているので、抵抗R24 および抵抗R25 で分圧されたバイパスコンデンサC26 は充電されず、比較回路54はＬレベル出力を維持して発光ダイオードLED1のオフ状態を維持し、フォトトランジスタQ19 もオフしてサイリスタQ18 をオフ状態にして、トランジスタQ15 のベースを引き抜かず、トランジスタQ15 を通常通り動作させる。
【００６５】
一方、蛍光ランプFLが寿命末期になり、たとえばいずれかのフィラメントFL1，FL2 がエミッタレス状態になると、蛍光ランプFLには直流電流が生じ、抵抗R25 および抵抗R26 で分圧されてバイパスコンデンサC26 が充電され、比較回路54でこのバイパスコンデンサC26 が所定電圧以上になったことを検出して、比較回路54は発光ダイオードLED1をオンしてフォトトランジスタQ19 をオンし、サイリスタQ18 のゲートに電圧を印加することにより、サイリスタQ18 がオンし、トランジスタQ15 のベース電流を引き抜いて、インバータ回路42を蛍光ランプFLのアークが消滅する電圧以下に出力を低下させたり、あるいは、インバータ回路42の出力を停止させる。
【００６６】
さらに、他の実施の形態を図９を参照して説明する。
【００６７】
図９はさらに他の実施の形態の放電灯点灯装置を示す回路図で、図９に示す放電灯点灯装置61は、図３に示す放電灯点灯装置31において、コンデンサC12 を電界効果トランジスタQ11 および電界効果トランジスタQ12 の接続点側に位置させるとともに、コンデンサC16 を取り除いている。
【００６８】
そして、商用交流電源ｅにトランスTr3 の一次巻線Tr3aを接続し、このトランスTr3 の二次巻線Tr3bにダイオードブリッジなどの全波整流回路62の入力端子を接続し、この全波整流回路62の出力端子間に、平滑コンデンサC31 およびツェナダイオードZD1 を接続し、さらに、制御手段としての制御回路63を接続し、この制御回路63は調光信号が入力されることにより、ドライブ回路23を制御し、インバータ回路22の出力を低下させて蛍光ランプFLを調光点灯させる。
【００６９】
また、蛍光ランプFLのフィラメントFL1 ，FL2 の一端間に、抵抗R31 、抵抗R32 および抵抗R33 の直列回路の抵抗分圧回路64が接続され、抵抗R33 にバイパスコンデンサC32 が並列に接続され、直流電圧検出手段としての直流電圧検出回路65が構成され、抵抗R32 、抵抗R33 およびバイパスコンデンサC32 の接続点は、比較回路66に接続されている。
【００７０】
そして、この比較回路66は、抵抗R32 、抵抗R33 およびバイパスコンデンサC32 の接続点から、ダイオードD21 、ツェナダイオードZD2 を介してトランジスタQ21 のベースに接続され、このトランジスタQ21 のエミッタは全波整流回路62の正極に、コレクタは抵抗R34 およびコンデンサC33 を介して全波整流回路62の負極に接続され、抵抗R34 およびコンデンサC33 の接続点は制御回路63に接続されている。さらに、トランジスタQ21 のベース、エミッタには、抵抗R35 が接続され、トランジスタQ21 のベースは、抵抗R36 およびトランジスタQ22 のコレクタ、エミッタを介して全波整流回路62の負極に接続され、トランジスタQ22 のベースは、ツェナダイオードZD3 およびダイオードD22 を介して抵抗R32 、抵抗R33およびバイパスコンデンサC32 の接続点に接続されている。
【００７１】
次に、上記実施の形態の動作について説明する。
【００７２】
そして、基本的な動作は図３に示す放電灯点灯装置31と同様であるが、調光信号が入力されない場合には、制御回路63は通常通りドライブ回路23を制御し、インバータ回路22の出力を通常通りとして蛍光ランプFLを全光点灯させ、調光信号が制御回路63に入力されると、制御回路63はドライブ回路23を制御して、インバータ回路22の出力を低下させ、蛍光ランプFLを調光点灯させる。
【００７３】
また、蛍光ランプFLの通常時には、全光点灯あるいは調光点灯にかかわらず、コンデンサC32 が充電されないので、ツェナダイオードZD2 およびツェナダイオードZD3 のいずれも逆阻止状態になっており、トランジスタQ21 およびトランジスタQ22 のいずれもオフ状態で、制御回路63は通常通り、ドライブ回路23を動作させる。
【００７４】
一方、蛍光ランプFLのフィラメントFL1 がエミッタレスの場合には、バイパスコンデンサC32 の抵抗R32 が正極の状態でバイパスコンデンサC32 が充電され、ツェナダイオードZD3 がオンしてトランジスタQ22 にベース電流を供給し、トランジスタQ22 がオンすることによりトランジスタQ21 のベースの電位が低下してトランジスタQ21 もオンし、コンデンサC33 を充電することにより、制御回路63は寿命末期であることを検出してドライブ回路23を制御して、インバータ回路22の出力を低下あるいは停止させる。
【００７５】
また、蛍光ランプFLのフィラメントFL2 がエミッタレスの場合には、バイパスコンデンサC32 の抵抗R32 が負極の状態でバイパスコンデンサC32 が充電され、ツェナダイオードZD2 がオンしてトランジスタQ21 のベース電流を引き抜き、トランジスタQ21 がオンし、コンデンサC33 を充電することにより、制御回路63は寿命末期であることを検出してドライブ回路23を制御して、同様にインバータ回路22の出力を低下あるいは停止させる。
【００７６】
そして、調光点灯時においても、同様の動作により寿命末期を検出できるので、従来のランプ電圧を検出して寿命末期を検出するもののように、全光点灯と調光点灯とで閾値を変化させる必要がなく、感度も常に同じ状態で寿命末期を検出できる。
【００７７】
またさらに、他の実施の形態を図１０を参照して説明する。
【００７８】
図１０はまたさらに他の実施の形態の放電灯点灯装置を示す回路図で、図１０に示す放電灯点灯装置71は、図９に示す放電灯点灯装置61において、直流電圧検出回路65に代えて、直流電圧検出手段としての直流電圧検出回路72を接続したものである。
【００７９】
この直流電圧検出回路72は、蛍光ランプFLに対して直列の抵抗R37 および抵抗R38 の直列回路の抵抗分圧回路73を有し、抵抗R38 に対して並列にバイパスコンデンサC35 を接続したものである。
【００８０】
そして、基本的な動作は図９に示す放電灯点灯装置61と同様であり、バイパスコンデンサC35 に充電された電圧に基づき、蛍光ランプFLに流れる直流電流を検出する。
【００８１】
そしてまた、他の実施の形態を図１１を参照して説明する。
【００８２】
図１１はそしてまた他の実施の形態の放電灯点灯装置を示す回路図で、図１１に示す放電灯点灯装置75は、図７に示す放電灯点灯装置41において、インバータ回路42は、インダクタL16 を取り除き、トランジスタQ15 のベースに起動抵抗R41 を接続し、電流トランスCT1 の二次巻線CT1bおよびトランジスタQ15 のベース間に抵抗R42 を接続している。
【００８３】
また、平滑コンデンサC11 に対して並列に抵抗R43 およびコンデンサC51 の直列回路が接続され、コンデンサC51 に対して並列にツェナダイオードZD5 が接続されている。
【００８４】
さらに、比較回路76は抵抗R22 、抵抗R23 およびバイパスコンデンサC25 の接続点に接続され、ダイオードD31 、ツェナダイオードZD6 を介してトランジスタQ26 のベースに接続され、このトランジスタQ26 のエミッタは抵抗R43 およびコンデンサC51 の接続点に、コレクタは抵抗R45 およびコンデンサC52 を介して全波整流回路21の負極に接続されている。さらに、トランジスタQ26 のベース、エミッタには、抵抗R44 が接続され、トランジスタQ26 のベースは、抵抗R46 およびトランジスタQ27 のコレクタ、エミッタを介して全波整流回路21の負極に接続され、トランジスタQ27 のベースは、ツェナダイオードZD7 およびダイオードD32 を介して抵抗R22 、抵抗R23 およびバイパスコンデンサC25 の接続点に接続されている。
【００８５】
そして、比較回路76は、抵抗R45 およびコンデンサC52 の接続点に制御手段としての制御回路77が接続され、この制御回路77は抵抗R45 およびコンデンサC52の接続点は抵抗R47 を介して、サイリスタQ28 のゲートに接続され、このサイリスタQ28 のアノードは抵抗R42 および電流トランスCT1 の二次巻線CT1bの接続点に接続され、カソードは全波整流回路21の負極に接続されており、サイリスタQ28 のゲート、カソード間には、抵抗R48 およびコンデンサC53 の並列回路が接続されている。
【００８６】
また、調光信号は抵抗R51 およびコンデンサC54 を介して全波整流回路21に接続され、これら抵抗R51 およびコンデンサC54 の接続点は、トランジスタQ29 のベースに接続され、このトランジスタQ29 のコレクタは抵抗R43 およびコンデンサC51 の接続点に接続され、エミッタはコンデンサC55 を介して全波整流回路21の負極に接続され、エミッタは電界効果トランジスタQ30 のゲートに接続され、この電界効果トランジスタQ30 はコンデンサC56 を介してコンデンサC24 に並列に接続されている。
【００８７】
次に、上記実施の形態の動作について説明する。
【００８８】
基本的な動作は、図７に示す放電灯点灯装置41と同様であるが、全光点灯の際には調光信号がＨレベルとなり、トランジスタQ29 のベースにベース電流を供給し、トランジスタQ29 がオンし、電界効果トランジスタQ30 のゲートにゲート電圧が印加されるので、電界効果トランジスタQ30 がオンし、コンデンサC24 およびコンデンサC56 の合成容量に基づき、ベース電流は通常通りで周波数が低下して通常の出力となり、全光状態で蛍光ランプFLを点灯する。また、調光点灯の際には調光信号がＬレベルとなり、トランジスタQ29 のベースにベース電流が供給されず、トランジスタQ29 はオフ状態を維持し、電界効果トランジスタQ30 のゲートにはゲート電圧が印加されないので、電界効果トランジスタQ30 はオフしており、コンデンサC24 の容量に基づき、ベース電流は少なくなり比較的高い周波数で出力が低下して、調光状態で蛍光ランプFLを点灯する。
【００８９】
そして、蛍光ランプFLのフィラメントFL1 がエミッタレスの場合には、コンデンサC25 の抵抗R22 側が正極の状態でバイパスコンデンサC25 が充電され、ツェナダイオードZD7 がオンしてトランジスタQ27 にベース電流を供給し、トランジスタQ27 がオンすることによりトランジスタQ26 のベースの電位が低下してトランジスタQ26 もオンし、コンデンサC52 を充電することにより、制御回路77はサイリスタQ28 のゲートにゲート電圧を印加し、サイリスタQ28 がオンしてトランジスタQ15 のベース電流をバイパスさせ、トランジスタQ15 をオフして、インバータ回路42の出力を低下あるいは停止させる。
【００９０】
また、蛍光ランプFLのフィラメントFL2 がエミッタレスの場合には、バイパスコンデンサC25 の抵抗R22 側が負極の状態でバイパスコンデンサC25 が充電され、ツェナダイオードZD6 がオンしてトランジスタQ26 のベース電流を引き抜き、トランジスタQ26 がオンしてコンデンサC52 を充電することにより、制御回路77はサイリスタQ28 のゲートにゲート電圧を印加し、サイリスタQ28 がオンしてトランジスタQ15 のベース電流をバイパスさせ、トランジスタQ15 をオフして、同様にインバータ回路42の出力を低下あるいは停止させる。
【００９１】
また、他の実施の形態を図１２を参照して説明する。
【００９２】
図１２はまた他の実施の形態の放電灯点灯装置を示す回路図で、図１２に示す放電灯点灯装置81は、商用交流電源ｅに全波整流回路21の入力端子が接続され、この全波整流回路21の出力端子は平滑コンデンサC11 に接続され、この平滑コンデンサC11 にインバータ回路22に接続されている。このインバータ回路22は電界効果トランジスタQ11 および電界効果トランジスタQ12 が直列に接続され、これら電界効果トランジスタQ11 のゲートは抵抗R11 を介して、電界効果トランジスタQ12 のゲートは抵抗R12 を介して、それぞれドライブ回路23に接続されている。
【００９３】
また、電界効果トランジスタQ12 の両端には、直流カット手段としての直流カット用のコンデンサC61 およびバラストチョークL21 を介して、蛍光ランプFLのフィラメントFL1 ，FL2 の一端に接続され、フィラメントFL1 ，FL2 の他端間には始動用のコンデンサC62 が接続されている。
【００９４】
さらに、蛍光ランプFLのフィラメントFL1 ，FL2 の一端間には、抵抗R61 、抵抗R62 および抵抗R63 の直列回路の抵抗分圧回路82を有し、抵抗R63 には並列に交流バイパス用のバイパスコンデンサC63 が接続され、直流電圧検出手段としての直流電圧検出回路83が形成され、抵抗R62 、抵抗R63 およびコンデンサC63 の接続点は、制御手段としての機能を有する比較回路84に接続され、この比較回路84はドライブ回路23に接続されている。
【００９５】
また、抵抗R62 および抵抗R63 にはコンデンサC64 およびダイオードD35 が並列に接続され、ダイオードD35 にはダイオードD35 およびコンデンサC65 が並列に接続され、ダイオードD35 およびコンデンサC65 は制御手段としての機能を有するランプ電圧検出回路85に接続され、このランプ電圧検出回路85はドライブ回路23に接続されている。
【００９６】
次に、上記実施の形態の動作について説明する。
【００９７】
基本的には上述の実施の形態と同様であるが、蛍光ランプFLの寿命末期の直流電圧は抵抗R63 およびコンデンサC63 に基づいて比較回路84で検出し、たとえば２次電圧などの発生に伴う電圧の上昇を抵抗R62 および抵抗R63 に基づいてランプ電圧検出回路85で検出し、蛍光ランプFLの寿命末期のみならずランプ電圧の上昇による非装着も検出でき、この検出されたランプ電圧に基づいて比較回路84は寿命末期を検出して、ドライブ回路23を制御してインバータ回路81の出力を低下あるいは停止させる。
【００９８】
このように、直流電圧検出回路83の抵抗分圧回路82を用いて、構成を複雑にすることなく、蛍光ランプFLに流れる直流電流のみならず、蛍光ランプFLのランプ電圧も検出できる。
【００９９】
上記いずれの実施の形態においても、蛍光ランプFLの管径１８ｍｍ以下の場合には、寿命末期を検出しにくく寿命末期状態が継続すると悪影響を与えやすいが、確実に寿命末期を検出して悪影響を与えることを防止する。
【０１００】
さらに、いずれの場合も直流電圧の絶対値に基づいて寿命末期を判断したが、電圧が所定値以上あるいは所定値以下であるか、すなわちいずれの極性になっているかを判断することにより、蛍光ランプFLのいずれのフィラメントFL1 ，FL2にエミッタレスが生じたかを判断するようにしても良い。
【図面の簡単な説明】
【０１０１】
【図１】本発明の放電灯点灯装置の一実施の形態を示すを示す回路図である。
【図２】同上照明装置の外観を示す斜視図である。
【図３】同上他の実施の形態の放電灯点灯装置を示す回路図である。
【図４】同上また他の実施の形態の放電灯点灯装置を示す回路図である。
【図５】同上さらに他の実施の形態の放電灯点灯装置を示す回路図である。
【図６】同上またさらに他の実施の形態の放電灯点灯装置を示す回路図である。
【図７】同上そしてまた他の実施の形態の放電灯点灯装置を示す回路図である。
【図８】同上また他の実施の形態の放電灯点灯装置を示す回路図である。
【図９】同上さらに他の実施の形態の放電灯点灯装置を示す回路図である。
【図１０】同上またさらに他の実施の形態の放電灯点灯装置を示す回路図である。
【図１１】同上そしてまた他の実施の形態の放電灯点灯装置を示す回路図である。
【図１２】同上また他の実施の形態の放電灯点灯装置を示す回路図である。
【図１３】従来例の放電灯点灯装置を示す回路図である。
【符号の説明】
【０１０２】
11    器具本体
14，31，32，33，36，41，51，61，71，75，81    放電灯点灯装置
22，42    放電灯点灯手段としてのインバータ回路
24，35，44，52，64，73，82    抵抗分圧回路
25，34，45，53，65，72，83    直流電圧検出手段としての直流電圧検出回路
27，47，55，63，77    制御手段としての制御回路
84    制御手段としての機能を有する比較回路
C12 ，C13 ，C22 ，C61     直流カット手段としての直流カット用のコンデンサ
C13     コンデンサ
C15   バイパスコンデンサ
FL    放電ランプとしての蛍光ランプ
R13 ，R14 ，R25 ，R26 ，R31 ，R32 ，R33 ，R61 ，R62 ，R63     抵抗
【図１】
2006114512.tif 000003
【図２】
2006114512.tif 000004
【図３】
2006114512.tif 000005
【図４】
2006114512.tif 000006
【図５】
2006114512.tif 000007
【図６】
2006114512.tif 000008
【図７】
2006114512.tif 000009
【図８】
2006114512.tif 000010
【図９】
2006114512.tif 000011
【図１０】
2006114512.tif 000012
【図１１】
2006114512.tif 000013
【図１２】
2006114512.tif 000014
【図１３】
2006114512.tif 000015